(57)【要約】  【課題】  赤外線リモコンを保持できるとともにカメラ付き携帯電話を挟持できるようにして、携帯電話の表示部に赤外線リモコンから発信した赤外線信号を表示できるようにしたリモコンホルダを提供する。  【解決手段】  壁面に固着される固着部３と、赤外線リモコン１の両側を垂直状に保持する両側保持部４と、底部を保持する底面保持部５とを備えたリモコン保持部６と、同リモコン保持部６に連続形成され、表示部２ｂを有するカメラ付き携帯電話２の両側を垂直状に挟持する携帯電話挟持部８と、前記赤外線リモコン１から発信する赤外線信号を前記携帯電話２のカメラ部２ａに導く導光手段９とを備えてなる構成にした。【選択図】  図２
2010181061.tif 000002
【特許請求の範囲】
【請求項１】
壁面に固着される固着部と、赤外線リモコンの両側を垂直状に保持する両側保持部と、底部を保持する底面保持部とを備えたリモコン保持部と、同リモコン保持部に連続形成され、表示部を有するカメラ付き携帯電話の両側を垂直状に挟持する携帯電話挟持部と、前記赤外線リモコンから発信する赤外線信号を前記携帯電話のカメラ部に導く導光手段とを備えてなることを特徴とするリモコンホルダ。
【請求項２】
前記携帯電話挟持部に、前記カメラ付き携帯電話の落下を防止する落下防止手段が設けられてなることを特徴とする請求項１に記載のリモコンホルダ。
【発明の詳細な説明】
【技術分野】
【０００１】
本発明は、リモコンホルダに係わり、より詳細には、赤外線リモコンを保持できるとともにカメラ付き携帯電話を挟持できるようにして、携帯電話の表示部に赤外線リモコンから発信した赤外線信号を表示できるようにした構造に関する。
【背景技術】
【０００２】
従来、空気調和機に故障が発生したような場合、例えば修理を依頼されたサービスマンは、空気調和機用の赤外線リモコンが故障しているのか、または、空気調和機の本体側が故障しているのかを判断する際、先ず、赤外線リモコンから赤外線信号が発信されているか、否かを判定していた。
【０００３】
赤外線リモコンから赤外線信号が発信されているか、否かを判定する際、例えば、空気調和機を設置している家庭にラジオがある場合には、ラジオに向かって赤外線リモコンの操作ボタンを押下することによって、「ブーブー」といった雑音が生じるかどうかで判定していたが、家庭にラジオがない場合には、こうした簡便な方法で判定することができなかった。
【０００４】
そのため、赤外線リモコンの赤外線受信装置において、図３に示すように、赤外線リモコンからの赤外線信号を受信する受光部ａと、この受光部ａの出力から受光した赤外線の強度を検出する信号強度検出部ｂと、この信号強度検出部ｂの出力値とあらかじめ定められた値とを比較する比較部ｃと、この比較部ｃの出力により受信信号強度を表示する表示部ｄとを有する赤外線信号受信部ｅによって判定するようにしていた（例えば、特開２００１ー１６６６９号公報）。
【０００５】
しかしながら、例えば、空気調和機が故障したことで修理を依頼するユーザからの電話を受けたような場合、サービスマンは、先ず、赤外線リモコンが故障しているのか、もしくは、空気調和機の本体側が故障しているのかを判定したい時に、赤外線リモコンの赤外線受信装置といった専用の検査機器を用意する必要があるため、不便であった。
【０００６】
また、ユーザは、赤外線リモコンの赤外線受信装置といった専用の検査機器を持っていないので、赤外線リモコンが故障しているのか、もしくは、空気調和機の本体側が故障しているのかを判定できず、したがって、赤外線リモコンまたは空気調和機本体のどちらが故障しているのかを（サービスマンに）告げて修理を依頼することができない、という問題点を有していた。
【先行技術文献】
【特許文献】
【０００７】
【特許文献１】特開２００１−１６６６９号公報
【発明の概要】
【発明が解決しようとする課題】
【０００８】
そこで、本発明は上述した課題を解決するためになされたものであって、その目的は、赤外線リモコンを保持できるとともにカメラ付き携帯電話を挟持できるようにして、携帯電話の表示部に赤外線リモコンから発信した赤外線信号を表示できるようにしたリモコンホルダを提供することにある。
【課題を解決するための手段】
【０００９】
上述した目的を達成できるように構成するため、本発明は以下に示す特徴を備えている。
【００１０】
壁面に固着される固着部と、赤外線リモコンの両側を垂直状に保持する両側保持部と、底部を保持する底面保持部とを備えたリモコン保持部と、同リモコン保持部に連続形成され、表示部を有するカメラ付き携帯電話の両側を垂直状に挟持する携帯電話挟持部と、前記赤外線リモコンから発信する赤外線信号を前記携帯電話のカメラ部に導く導光手段とを備えてなることを特徴としている。
【００１１】
また、前記携帯電話挟持部に、前記カメラ付き携帯電話の落下を防止する落下防止手段が設けられてなることを特徴としている。
【発明の効果】
【００１２】
本発明によれば、赤外線リモコンを保持できるとともにカメラ付き携帯電話を挟持できるようにして、携帯電話の表示部に赤外線リモコンから発信した赤外線信号を表示できるようにしたリモコンホルダを提供できる。
【図面の簡単な説明】
【００１３】
【図１】本発明によるリモコンホルダの斜視図である。
【図２】本発明によるリモコンホルダの使用状態を示す断面図である。
【図３】従来の赤外線リモコンからの赤外線信号の有無を確認する方法を示す説明図である。
【発明を実施するための形態】
【００１４】
以下、本発明を実施するための形態を、添付図面に基づいた実施例として詳細に説明する。
【実施例１】
【００１５】
本発明によるリモコンホルダは、図１および図２に示すように、赤外線リモコン１の両側および底部を着脱自在に保持するリモコン保持部６と、カメラ付き携帯電話２の両側を着脱自在に挟持する携帯電話挟持部８と、赤外線リモコン１が発信する赤外線信号を携帯電話２のカメラ部２ａに導く導光手段９とからなり、リモコン保持部６および携帯電話挟持部８が合成樹脂により一体的に形成された構成になっている。
【００１６】
リモコンホルダを構成するリモコン保持部６および携帯電話挟持部８は、適宜、弾性と強度とを有する合成樹脂を用いて成形すればよく、例えば、ポリエチレンやポリプロピレンといった汎用プラスチック、もしくは、ＡＢＳ樹脂やＡＳ樹脂といった準汎用プラスチックを用いて成形してもよいし、また、ポリアセタールやポリカーボネートといった汎用エンプラを用いてもよい。
【００１７】
ここで、赤外線リモコン１を保持するリモコン保持部６の構成と、このリモコン保持部６に一体的に形成され携帯電話２を挟持する携帯電話挟持部８の構成とについて、以下に説明する。
【００１８】
リモコン保持部６は、複数の皿孔３ｂを備えて上下に延びる縦板と、この縦板の上部に連続形成されて左右に延びる横板とによってＴ字状に形成された第一背板３ａからなる固着部３と、第一背板３ａをなす横板の両先端に、前方に延びるように連続形成された両側保持部４と、第一背板３ａの下部に、前方に延びるように連続形成された底面保持部５とを備えている。
【００１９】
固着部３は、第一背板３ａの皿孔３ｂに通した図示しない皿ねじにより、壁面にねじ締めされることで固着されている。
【００２０】
両側保持部４には、赤外線リモコン１の両側の長手方向に設けられた保持溝１ａに対応して、先端にスライド爪４ａが設けられており、このスライド爪４ａが保持溝１ａにスライド自在に係合するようになっている。
【００２１】
底面保持部５には、赤外線リモコン１の底部および前部に設けられた係止溝１ｂに対応する係止爪５ａが設けられており、この係止爪５ａが係止溝１ｂに係脱自在に係止するようになっている。
【００２２】
これにより、赤外線リモコン１は、リモコン保持部６の上方から挿脱可能に挿入されることで、赤外線リモコン１の保持溝１ａにリモコン保持部６のスライド爪４ａがスライド自在に係合し、挿入時の先端（下端）が底面保持部５に当接する位置までスライドし、係止爪５ａが係止溝１ｂに係脱自在に係止して、正確に保持されることになる。
【００２３】
なお、底面保持部５には、図１に示すように、反射板１１を臨ませるように形成した光路５ｂが設けられるとともに、この光路５ｂの両側に係止爪５ａが設けられる一方、赤外線リモコン１の底部（後部）や、前部に設けた赤外線信号を発信する発信部１ｃの両側には、係止爪５ａに対応する係止溝１ｂが夫々設けられている。
【００２４】
光路５ｂは、図１において、反射板１１を臨ませるように突き抜けた箇所として示しているが、図示した形状に限らず、楕円形状、円形状あるいは多角形状などによる任意の形状で形成してもよい。
【００２５】
また、保持溝１ａおよび係止溝１ｂは、赤外線リモコン１の厚さ方向の中央部に、長手方向に延びるように形成されており、これによって、赤外線リモコン１は、リモコン保持部６の上方から底部（後部）の側を先に挿入する以外に、図２に二点鎖線で示すように、上下を反転して、前部に設けた発信部１ｃの側を先に挿入しても支障なく保持される。
【００２６】
次に、図１および図２に基づいて、リモコン保持部６に一体的に形成されている携帯電話挟持部８の構成について説明する。
【００２７】
携帯電話２の両側を垂直状に挟持する携帯電話挟持部８は、第一背板３ａの下部から延出された延出板３ａ’と、この延出板３ａ’の両側前部であって、底面保持部５の両側下部から突出して赤外線信号の導光路１０を構成する光路板７と、この光路板７の前端から外側に突出して第一背板３ａと平行に形成された第二背板８ａと、この第二背板８ａの先端から前方に突出して携帯電話２の両側を挟持する挟持板８ｂとからなる構成になっている。
【００２８】
携帯電話挟持部８で挟持されている携帯電話２は、その両側を挟持板８ｂが押圧した状態で挟持しているが、例えば、予期しない外力が加わったり、地震に遭ったりすることで簡単に落下してしまわないように、携帯電話挟持部８には落下防止手段が設けられた構成になっている。
【００２９】
落下防止手段としては、第一例として、挟持板８ｂおよび第二背板８ａに、合成ゴムからなる滑り防止ラバーのような滑り止め用の部材８ｃを備えることで、携帯電話２を傷つけないように保護するとともに、その両側を押圧した状態にして強固に挟持できるようになる。
【００３０】
なお、滑り止め用の部材８ｃは、その厚さ寸法を変えることによって、携帯電話２の両側を押圧する強さを変えることができるようになり、また、携帯電話２の幅寸法の違い（バラツキ）に対応して所定の押圧力で押圧できるようにすることができるようになる。
【００３１】
また、落下防止手段の第二例として、第二背板８ａに、携帯電話２に付けられている図示しないストラップに対応して、このストラップを挿脱可能に保持できる保持溝８ｄが設けられることで、携帯電話２を落下させないように、ストラップが保持溝８ｄで吊り下げ保持できる構成になる。
【００３２】
なお、携帯電話２に付けられている図示しないストラップは、通常、携帯電話２に付けられる細いひも部と、この細いひも部に連続的に設けられているプレートや装飾品類等といったアクセサリ部とからなり、このアクセサリ部は、細いひも部の径や保持溝８ｄの溝幅よりも外形形状が大きいことから、細いひも部を保持溝８ｄに挿入して保持することで、保持溝８ｄに対しアクセサリ部がストッパとなって携帯電話２を吊り下げ保持できるようになる。
【００３３】
第二背板８ａに保持溝８ｄを設けたことで、例えば、携帯電話２の両側を挟持板８ｂで挟持するとともに、図示しないストラップの細いひも部を保持することで、仮に、挟持板８ｂから携帯電話２の両側が外れたような場合でも、携帯電話２を落下させないように吊り下げ保持できることになる。
【００３４】
なお、携帯電話２の両側を挟持板８ｂで挟持させるのが面倒な場合には、第二背板８ａの保持溝８ｄに図示しないストラップの細いひも部を挿入して（引っ掛けて）、挟持板８ｂで挟持させることなく、携帯電話２を落下させないように吊り下げ保持してもよい。
【００３５】
これにより、携帯電話２が普及している現代において、この携帯電話２を自宅に居る時に身体から放して何処に置くかということに関し、できれば、置き場所が何時でも判りやすいように定位置に置いておきたい、というニーズに対応できるようになる。
【００３６】
また、落下防止手段の第三例として、互いに平行な挟持板８ｂ同士の間に、この挟持板８ｂ同士の間隔を、ねじ構造によって微調整できる調整部８ｅを設けた構成にしてもよい。
【００３７】
これにより、調整部８ｅにより第二背板８ａおよび挟持板８ｂを弾性変形させながら間隔を微調整して、携帯電話２の幅寸法のバラツキを吸収できるようになり、落下させない適正な押圧力で携帯電話２の側面を押圧して保持できるようになる。
【００３８】
底面保持部５に設けられた光路５ｂと、延出板３ａ’および底面保持部５に連続形成された平行な光路板７とで構成されている導光路１０には、赤外線リモコン１の発信部１ｃから発信されて光路５ｂから入射する赤外線信号を、挟持板８ｂで挟持した携帯電話２のカメラ部２ａに導けるように、傾斜角が約４５°で設置された反射板１１が設けられており、これら光路５ｂと導光路１０と反射板１１とで、赤外線信号を携帯電話２のカメラ部２ａに導く導光手段９が構成されている。
【００３９】
なお、携帯電話２のカメラ部２ａは、図示しないレンズ、ＣＣＤやＣＭＯＳのイメージセンサなどの撮像素子および信号処理回路等からなる構成になっている。
【００４０】
次に、サービスマンもしくはユーザが、赤外線リモコン１から発信されている（はずの）赤外線信号の有無を確認するための動作について、図１および図２に基づいて以下に説明する
【００４１】
本発明によるリモコンホルダは、皿孔３ｂを通した図示しない皿ねじによって壁面にねじ締めされ固着される。
【００４２】
赤外線リモコン１は、赤外線を発信する発信部１ｃを下方に向け、発信部１ｃを光路５ｂから反射板１１に臨ませた状態で、リモコン保持部６に保持される。
【００４３】
携帯電話２は、表示部２ｂが視認できるように操作（開放）された状態で、かつ、撮影可能な状態にしたカメラ部２ａを導光路１０内の反射板１１に向けた位置で、携帯電話挟持部８の挟持板８ｂに挟持される。
【００４４】
なお、携帯電話２は、その両側を挟持板８ｂで挟持したのちに、表示部２ｂを視認できるように操作（開放）して、カメラ部２ａで撮影ができる状態になるように、図示しない撮影用の操作ボタンを押下（操作）するようにしてもよい。
【００４５】
携帯電話２に付けられた図示しないストラップの細いひも部は、保持溝８ｄに挿入して（引っ掛けて）おく。
【００４６】
ここで、携帯電話２の表示部２ｂの背面側から挿入した手指の動作により、赤外線リモコン１の図示しない操作ボタン（例えば運転ボタン）を断続的に押下して、発信部１ｃから赤外線信号を発信する。
【００４７】
また、このように操作ボタンを押下する時はハンドフリーの状態であって操作をしやすいことから、赤外線リモコン１の図示しない操作ボタンは、例えば運転ボタンに限定しないで、赤外線信号を発信する（はずの）全ての図示しない操作ボタンを順次押下することによって、これら図示しない操作ボタンによる赤外線信号の有無を正確に確認できることになる。
【００４８】
これにより、赤外線リモコン１の発信部１ｃから発信された赤外線信号は、図２に示す破線の矢印のように、下方の光路５ｂを経て導光路１０内の反射板１１で反射し、前方に保持された携帯電話２のカメラ部２ａに向かうことになる。
【００４９】
赤外線リモコン１が赤外線信号を断続的に発信している場合、肉眼では赤外線信号を視認できなくても、携帯電話２のカメラ部２ａで撮影されて、表示部２ｂに赤外線信号が点いたり消えたりする状態で表示されるため容易に、かつ正確に確認できることになるので、例えば、図示しない空気調和機が故障したような場合、少なくとも、赤外線リモコン１の側には故障がないと判断できる。
【００５０】
これにより、例えば、サービスマンは、本発明によるリモコンホルダによる簡便な検査によって、赤外線リモコン１の側には故障がなく空気調和機の本体側が故障しているものと判断して修理にとり掛かれるようになり、また、ユーザは、空気調和機の本体側に故障があることを告げて修理を依頼できるようになる。
【００５１】
なお、赤外線リモコン１が赤外線信号を発信していない場合、携帯電話２の表示部２ｂに赤外線信号が表示されないため、赤外線リモコン１に故障があることが確認できるので、例えば、図示しない空気調和機が故障したような場合、少なくとも、赤外線リモコン１の側に故障があると判断できるようになる。
【００５２】
以上説明したように、本発明による構成であれば、携帯電話２の表示部２ｂに赤外線リモコン１の発信部１ｃから発信した赤外線信号を表示できるようになって、例えば、図示しない空気調和機が故障したような場合、少なくとも、赤外線リモコン１の側に故障があるのか否かを容易に、かつ正確に確認できるようになる。
【００５３】
また、赤外線リモコン１からの赤外線信号の有無を確認する以外の時、赤外線リモコン１を正確に保持できるとともに、カメラ付き携帯電話２を強固に挟持できるようにし、または、図示しないストラップでカメラ付き携帯電話２を簡便に吊り下げ保持できるようにしたリモコンホルダとなる。
【符号の説明】
【００５４】
１  赤外線リモコン
１ａ  保持溝
１ｂ  係止溝
１ｃ  発信部
２  携帯電話
２ａ  カメラ部
２ｂ  表示部
３  固着部
３ａ  第一背板
３ａ’  延出板
３ｂ  皿孔
４  両側保持部
４ａ  スライド爪
５  底面保持部
５ａ  係止爪
５ｂ  光路
６  リモコン保持部
７  光路板
８  携帯電話挟持部
８ａ  第二背板
８ｂ  挟持板
８ｃ  滑り止め用の部材
８ｄ  保持溝
８ｅ  調整部
９  導光手段
１０  導光路
１１  反射板
【図１】
2010181061.tif 000003
【図２】
2010181061.tif 000004
【図３】
2010181061.tif 000005